【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
圧迫用バンドおよび止血用包帯デバイスであって、
ポジショナアセンブリと、
可撓性ヒンジアセンブリを備えるストラップと、
圧迫板と、
解放可能に結合される止血用包帯と、
を備える、デバイス。
【請求項２】
前記ストラップは、前記ポジショナアセンブリおよび前記解放可能に結合される止血用包帯の独立した移動を提供する、可撓性ヒンジアセンブリを備える、請求項１に記載のデバイス。
【請求項３】
前記圧迫板またはストラップのうちの１つの上に圧迫用クッション構成要素をさらに備え、前記止血用包帯は、前記圧迫用クッション構成要素上に提供される、請求項１に記載のデバイス。
【請求項４】
前記止血用包帯は、キトサンを含む、請求項２に記載のデバイス。
【請求項５】
前記圧迫板は、略平坦であり、前記ストラップ内に提供されるポケット内に位置する、請求項１に記載のデバイス。
【請求項６】
前記デバイスは、非閉塞性である、請求項１に記載のデバイス。
【請求項７】
圧迫用バンドおよび止血用包帯デバイスであって、
可撓性ヒンジアセンブリを備えるストラップ、圧迫板、圧迫用クッション構成要素、および止血用包帯アセンブリと、
前記可撓性ヒンジアセンブリによってストラップに移動可能に接続される、ポジショナアセンブリと、
前記圧迫用クッション構成要素に解放可能に結合される、取り付けられる、または接続される、止血用包帯と、
を備える、デバイス。
【請求項８】
前記圧迫板は、剛性かつ略平坦である、請求項７に記載のデバイス。
【請求項９】
前記圧迫用クッション構成要素は、全体的に前記圧迫板および可撓性ヒンジアセンブリを伴うストラップの下に位置する、請求項８に記載のデバイス。
【請求項１０】
前記ポジショナアセンブリは、固定された曲線外形を伴う可撓性または半剛性である、請求項７に記載のデバイス。
【請求項１１】
前記止血用包帯は、キトサンを含む、請求項７に記載のデバイス。
【請求項１２】
前記止血用包帯は、酢酸、乳酸、グリコール酸、またはクエン酸のうちの１つを含む酸性塩を含む、相分離凍結乾燥キトサン酸包帯である、請求項１１に記載のデバイス。
【請求項１３】
前記圧迫板は、前記ストラップ内に提供されるポケット内に位置する、請求項７に記載のデバイス。
【請求項１４】
前記圧迫板は、前記ストラップの表面上に位置する、請求項７に記載のデバイス。
【請求項１５】
前記圧迫用クッション構成要素は、前記圧迫板および前記ストラップのうちの１つに取り付けられる、請求項７に記載のデバイス。
【請求項１６】
前記圧迫用クッション構成要素は、前記圧迫板に対して偏心した表面の一方の縁のみに沿って取り付けられる、請求項１５に記載のデバイス。
【請求項１７】
前記デバイスは、非閉塞性であり、前記止血用包帯アセンブリは、前記圧迫板、前記ストラップ、および前記圧迫用クッション構成要素のうちの１つに取り付けられる、請求項７に記載のデバイス。
【請求項１８】
前記デバイスは、圧迫用クッション構成要素を備え、前記止血用包帯は、止血が達成され、かつ前記ポジショナアセンブリ、可撓性ヒンジアセンブリを伴うストラップ、圧迫板、および圧迫用クッション構成要素が、貫通部位から除去された後、定位置に残留する、請求項１または請求項７に記載のデバイス。
【請求項１９】
前記可撓性ヒンジアセンブリを伴うストラップは、前記ポジショナアセンブリおよび前記止血用包帯を独立して移動させるための前記デバイスの留置を補助する、請求項１８に記載のデバイス。
【請求項２０】
前記圧迫用クッション構成要素は、これが前記ポジショナアセンブリによる直接的圧迫を受けないように、全体的に前記圧迫板およびストラップの下に位置する、請求項１８に記載のデバイス。
【手続補正２】
【補正対象書類名】明細書
【補正対象項目名】００４０
【補正方法】変更
【補正の内容】
【００４０】
本発明を使用する利益は、本明細書に説明される種々のデバイス実施形態および方法を使用して実現され得る。一好ましい方法は、上記に説明されるもの等の圧迫用バンドおよび止血用包帯デバイスを使用するステップを伴い、止血が達成され、ポジショナアセンブリ、可撓性ヒンジアセンブリを伴うストラップ、圧迫板、および圧迫用クッション構成要素が、貫通部位から除去された後、止血用包帯を定位置に残すステップを含む。本方法はさらに、ポジショナアセンブリおよび止血用包帯を独立して移動させるために、可撓性ヒンジアセンブリを伴うストラップを用いて本デバイスを留置するステップと、圧迫を印加し、動脈または静脈閉塞を防止するステップとを含み得る。本方法はさらに、圧迫用クッション構成要素を、これがポジショナアセンブリによる直接的圧迫を受けないように、全体的に圧迫板およびストラップの下に配置するステップを含み得る。ポジショナアセンブリによって直接圧迫されないように圧迫用クッション構成要素の場所を限定することは、そうでなければその機能に衝合する、またはそれを妨害し得るポジショナアセンブリと圧迫用クッション構成要素との間の相互作用を回避することによって、圧迫用構成要素の適切かつ安全な機能を促進する。
本発明は、例えば、以下を提供する。
（項目１）
圧迫用バンドおよび止血用包帯デバイスであって、
ポジショナアセンブリと、
可撓性ヒンジアセンブリを備えるストラップと、
圧迫板と、
解放可能に結合される止血用包帯と、
を備える、デバイス。
（項目２）
前記ストラップは、前記ポジショナアセンブリおよび前記解放可能に結合される止血用包帯の独立した移動を提供する、可撓性ヒンジアセンブリを備える、項目１に記載のデバイス。
（項目３）
前記圧迫板またはストラップのうちの１つの上に圧迫用クッション構成要素をさらに備え、前記止血用包帯は、前記圧迫用クッション構成要素上に提供される、項目１に記載のデバイス。
（項目４）
前記止血用包帯は、キトサンを含む、項目２に記載のデバイス。
（項目５）
前記圧迫板は、略平坦であり、前記ストラップ内に提供されるポケット内に位置する、項目１に記載のデバイス。
（項目６）
前記デバイスは、非閉塞性である、項目１に記載のデバイス。
（項目７）
圧迫用バンドおよび止血用包帯デバイスであって、
可撓性ヒンジアセンブリを備えるストラップ、圧迫板、圧迫用クッション構成要素、および止血用包帯アセンブリと、
前記可撓性ヒンジアセンブリによってストラップに移動可能に接続される、ポジショナアセンブリと、
前記圧迫用クッション構成要素に解放可能に結合される、取り付けられる、または接続される、止血用包帯と、
を備える、デバイス。
（項目８）
前記圧迫板は、剛性かつ略平坦である、項目７に記載のデバイス。
（項目９）
前記圧迫用クッション構成要素は、全体的に前記圧迫板および可撓性ヒンジアセンブリを伴うストラップの下に位置する、項目８に記載のデバイス。
（項目１０）
前記ポジショナアセンブリは、固定された曲線外形を伴う可撓性または半剛性である、項目７に記載のデバイス。
（項目１１）
前記止血用包帯は、キトサンを含む、項目７に記載のデバイス。
（項目１２）
前記止血用包帯は、酢酸、乳酸、グリコール酸、またはクエン酸のうちの１つを含む酸性塩を含む、相分離凍結乾燥キトサン酸包帯である、項目１１に記載のデバイス。
（項目１３）
前記圧迫板は、前記ストラップ内に提供されるポケット内に位置する、項目７に記載のデバイス。
（項目１４）
前記圧迫板は、前記ストラップの表面上に位置する、項目７に記載のデバイス。
（項目１５）
前記圧迫用クッション構成要素は、前記圧迫板および前記ストラップのうちの１つに取り付けられる、項目７に記載のデバイス。
（項目１６）
前記圧迫用クッション構成要素は、前記圧迫板に対して偏心した表面の一方の縁のみに沿って取り付けられる、項目１５に記載のデバイス。
（項目１７）
前記デバイスは、非閉塞性であり、前記止血用包帯アセンブリは、前記圧迫板、前記ストラップ、および前記圧迫用クッション構成要素のうちの１つに取り付けられる、項目７に記載のデバイス。
（項目１８）
前記デバイスは、圧迫用クッション構成要素を備え、止血が達成され、前記ポジショナアセンブリ、可撓性ヒンジアセンブリを伴うストラップ、圧迫板、および圧迫用クッション構成要素が、貫通部位から除去された後、前記止血用包帯を定位置に残すステップを含む、項目１または項目７に記載の圧迫用バンドおよび止血用包帯デバイスを使用する方法。
（項目１９）
前記ポジショナアセンブリおよび前記止血用包帯を独立して移動させるために、前記可撓性ヒンジアセンブリを伴うストラップを用いて前記デバイスを留置するステップと、圧迫力を印加するステップと、動脈閉塞を回避するステップとをさらに含む、項目１８に記載の方法。
（項目２０）
前記圧迫用クッション構成要素を、これが前記ポジショナアセンブリによる直接的圧迫を受けないように、全体的に前記圧迫板およびストラップの下に配置するステップをさらに含む、項目１８に記載の方法。